(57)【要約】【課題】画像を記録するためのデータ容量を削減する。【解決手段】運転手モニタ装置１００は、運転手を撮影することで撮影画像１１１を生成する運転手モニタカメラ１０２と、撮影画像１１１から記録画像１１２を生成する信号処理部１０５と、撮影画像１１１を用いて運転手の異常状態を判断する判断部１０７と、信号処理部１０５で生成された記録画像１１２を記録する記録部１０６と、を備え、信号処理部１０５は、判断部１０７により、異常状態であると判断された場合、撮影画像１１１の一部画像を切り出すことで、撮影画像１１１より画素数が少ない第１画素数の記録画像１１２を生成する。【選択図】図１
2018073253.tif 000002
【特許請求の範囲】
【請求項１】
運転手を撮影することで撮影画像を生成するカメラと、
前記撮影画像から記録画像を生成する信号処理部と、
前記撮影画像を用いて前記運転手の異常状態を判断する判断部と、
前記信号処理部で生成された前記記録画像を記録する記録部と、を備え、
前記信号処理部は、前記判断部により、前記異常状態であると判断された場合、前記撮影画像の一部画像を切り出すことで、前記撮影画像より画素数が少ない第１画素数の前記記録画像を生成する
運転手モニタ装置。
【請求項２】
前記信号処理部は、前記判断部により、前記異常状態であると判断された場合、前記撮影画像から前記一部画像として前記異常状態に関連する部分を切り出すことで前記記録画像を生成する
請求項１記載の運転手モニタ装置。
【請求項３】
前記信号処理部は、前記判断部により、前記異常状態でないと判断された場合、前記撮影画像の全体を含む前記記録画像を生成する
請求項１又は２記載の運転手モニタ装置。
【請求項４】
前記信号処理部は、前記判断部により、前記異常状態でないと判断された場合、前記撮影画像の全体を圧縮することで、前記第１画素数の前記記録画像を生成する
請求項３記載の運転手モニタ装置。
【請求項５】
前記異常状態は、第１異常状態と第２異常状態とを含み、
前記信号処理部は、
前記判断部により、前記運転手が前記第１異常状態であると判断された場合、前記撮影画像から前記一部画像として、前記第１画素数の領域を切り出すことで前記第１画素数の前記記録画像を生成し、
前記判断部により、前記運転手が前記第２異常状態であると判断された場合、前記撮影画像から前記一部画像として、前記第１画素数より多い第２画素数の領域を切り出すことで前記記録画像を生成する
請求項１〜３のいずれか１項に記載の運転手モニタ装置。
【請求項６】
前記信号処理部は、
前記判断部により、前記運転手が前記第２異常状態であると判断された場合、前記撮影画像から前記第２画素数の領域を切り出し、切り出した領域を圧縮することで前記第１画素数の前記記録画像を生成する
請求項５記載の運転手モニタ装置。
【請求項７】
前記第１異常状態は、前記運転手の閉眼状態であり、
前記第２異常状態は、前記運転手のわき見状態であり、
前記信号処理部は、
前記判断部により、前記運転手がわき見状態であると判断された場合、前記撮影画像から前記一部画像として前記運転手の顔部分を切り出し、
前記判断部により、前記運転手が閉眼状態であると判断された場合、前記撮影画像から前記一部画像として前記運転手の眼部分を切り出す
請求項５又は６記載の運転手モニタ装置。
【請求項８】
前記カメラは、予め定められた固定倍率で前記運転手を撮影することで前記撮影画像を生成する
請求項１〜７のいずれか１項に記載の運転手モニタ装置。
【請求項９】
前記判断部は、前記記録部に記録された前記記録画像に基づいて、前記異常状態の判断基準を更新する
請求項１〜８のいずれか１項に記載の運転手モニタ装置。
【請求項１０】
前記運転手モニタ装置は、さらに、
前記記録画像を蓄積する蓄積部を有するサーバと無線通信する通信部を備える
請求項１〜８のいずれか１項に記載の運転手モニタ装置。
【請求項１１】
前記通信部は、さらに、蓄積された前記記録画像に基づいて前記サーバにより決定された前記異常状態の判断基準を受信し、
前記判断部は、受信した前記判断基準を新たな判断基準として更新する
請求項１０記載の運転手モニタ装置。
【請求項１２】
運転手を撮影することで撮影画像を生成する撮影ステップと、
前記撮影画像から記録画像を生成する信号処理ステップと、
前記撮影画像を用いて前記運転手の異常状態を判断する判断ステップと、
前記信号処理ステップで生成された前記記録画像を記録する記録ステップと、を含み、
前記信号処理ステップでは、前記判断ステップにより、前記異常状態であると判断された場合、前記撮影画像の一部画像を切り出すことで、前記撮影画像より画素数が少ない第１画素数の前記記録画像を生成する
運転手モニタ方法。
【発明の詳細な説明】
【技術分野】
【０００１】
本発明は、運転手を撮影し、撮影した画像を記録する運転手モニタ装置及び運転手モニタ方法に関する。
【背景技術】
【０００２】
従来、ドライブレコーダにおいて、画像を記録するためのデータ容量を削減するために、画像の重要度に基づき、記録する画像の解像度又はフレームレートを制御する技術が知られている（例えば、特許文献１参照）。また、車外の画像に加え、車内の運転手をモニタする技術も知られている。
【先行技術文献】
【特許文献】
【０００３】
【特許文献１】特開２０１０−１３４７４５号公報
【発明の概要】
【発明が解決しようとする課題】
【０００４】
このような運転手モニタ装置では、画像を記録するためのデータ容量をより削減することが望まれている。
【０００５】
そこで、本発明は、画像を記録するためのデータ容量を削減できる運転手モニタ装置又は運転手モニタ方法を提供することを目的とする。
【課題を解決するための手段】
【０００６】
本発明の一態様に係る運転手モニタ装置は、運転手を撮影することで撮影画像を生成するカメラと、前記撮影画像から記録画像を生成する信号処理部と、前記撮影画像を用いて前記運転手の異常状態を判断する判断部と、前記信号処理部で生成された前記記録画像を記録する記録部と、を備え、前記信号処理部は、前記判断部により、前記異常状態であると判断された場合、前記撮影画像の一部画像を切り出すことで、前記撮影画像より画素数が少ない第１画素数の前記記録画像を生成する。
【発明の効果】
【０００７】
本発明は、画像を記録するためのデータ容量を削減できる運転手モニタ装置又は運転手モニタ方法を提供できる。
【図面の簡単な説明】
【０００８】
【図１】図１は、実施の形態１に係る運転手モニタ装置の構成を示す図である。
【図２】図２は、実施の形態１に係る運転手モニタ装置の処理を示すフローチャートである。
【図３】図３は、実施の形態１に係る検知状態と切り出し領域との関係を示す図である。
【図４】図４は、実施の形態１に係る切り出し処理を説明するための図である。
【図５】図５は、実施の形態１に係る学習処理のフローチャートである。
【図６】図６は、実施の形態２に係る運転手モニタ装置の構成を示す図である。
【図７】図７は、実施の形態２に係る学習処理のフローチャートである。
【発明を実施するための形態】
【０００９】
本発明の一態様に係る運転手モニタ装置は、運転手を撮影することで撮影画像を生成するカメラと、前記撮影画像から記録画像を生成する信号処理部と、前記撮影画像を用いて前記運転手の異常状態を判断する判断部と、前記信号処理部で生成された前記記録画像を記録する記録部と、を備え、前記信号処理部は、前記判断部により、前記異常状態であると判断された場合、前記撮影画像の一部画像を切り出すことで、前記撮影画像より画素数が少ない第１画素数の前記記録画像を生成する。
【００１０】
これによれば、異常状態であると判断された場合に、撮影画像の一部の画像のみが記録される。これにより、画像を記録するためのデータ容量を削減できる。
【００１１】
例えば、前記信号処理部は、前記判断部により、前記異常状態であると判断された場合、前記撮影画像から前記一部画像として前記異常状態に関連する部分を切り出すことで前記記録画像を生成してもよい。
【００１２】
これによれば、異常状態に関連する部分の画質の劣化を抑制しつつ、画像を記録するためのデータ容量を削減できる。
【００１３】
例えば、前記信号処理部は、前記判断部により、前記異常状態でないと判断された場合、前記撮影画像の全体を含む前記記録画像を生成してもよい。
【００１４】
これによれば、記録画像の全体のデータ容量を削減できる。
【００１５】
例えば、前記信号処理部は、前記判断部により、前記異常状態でないと判断された場合、前記撮影画像の全体を圧縮することで、前記第１画素数の前記記録画像を生成してもよい。
【００１６】
これによれば、正常時及び異常状態時の両方において記録される画像のサイズを統一できるので、記録画像の管理等を容易に行うことができる。
【００１７】
例えば、前記異常状態は、第１異常状態と第２異常状態とを含み、前記信号処理部は、前記判断部により、前記運転手が前記第１異常状態であると判断された場合、前記撮影画像から前記一部画像として、前記第１画素数の領域を切り出すことで前記第１画素数の前記記録画像を生成し、前記判断部により、前記運転手が前記第２異常状態であると判断された場合、前記撮影画像から前記一部画像として、前記第１画素数より多い第２画素数の領域を切り出すことで前記記録画像を生成してもよい。
【００１８】
これによれば、異常状態の種別に応じて適切な領域の画像のみを記録できる。
【００１９】
例えば、前記信号処理部は、前記判断部により、前記運転手が前記第２異常状態であると判断された場合、前記撮影画像から前記第２画素数の領域を切り出し、切り出した領域を圧縮することで前記第１画素数の前記記録画像を生成してもよい。
【００２０】
これによれば、異常状態に応じて切り出す領域のサイズが異なる場合において、記録される画像のサイズを統一できるので、記録画像の管理等を容易に行うことができる。
【００２１】
例えば、前記第１異常状態は、前記運転手の閉眼状態であり、前記第２異常状態は、前記運転手のわき見状態であり、前記信号処理部は、前記判断部により、前記運転手がわき見状態であると判断された場合、前記撮影画像から前記一部画像として前記運転手の顔部分を切り出し、前記判断部により、前記運転手が閉眼状態であると判断された場合、前記撮影画像から前記一部画像として前記運転手の眼部分を切り出してもよい。
【００２２】
例えば、前記カメラは、予め定められた固定倍率で前記運転手を撮影することで前記撮影画像を生成してもよい。
【００２３】
これによれば、カメラの機能を簡略化できるとともに、必要な領域の解像度の低下を抑制できる。
【００２４】
例えば、前記判断部は、前記記録部に記録された前記記録画像に基づいて、前記異常状態の判断基準を更新してもよい。
【００２５】
これによれば、記録画像を用いて学習を行うことができるので、異常状態の判断の精度を向上できる。
【００２６】
例えば、前記運転手モニタ装置は、さらに、前記記録画像を蓄積する蓄積部を有するサーバと無線通信する通信部を備えてもよい。
【００２７】
例えば、前記通信部は、さらに、蓄積された前記記録画像に基づいて前記サーバにより決定された前記異常状態の判断基準を受信し、前記判断部は、受信した前記判断基準を新たな判断基準として更新してもよい。
【００２８】
これによれば、記録画像を用いて学習を行うことができるので、異常状態の判断の精度を向上できる。
【００２９】
また、本発明の一態様に係る運転手モニタ方法は、運転手を撮影することで撮影画像を生成する撮影ステップと、前記撮影画像から記録画像を生成する信号処理ステップと、前記撮影画像を用いて前記運転手の異常状態を判断する判断ステップと、前記信号処理ステップで生成された前記記録画像を記録する記録ステップと、を含み、前記信号処理ステップでは、前記判断ステップにより、前記異常状態であると判断された場合、前記撮影画像の一部画像を切り出すことで、前記撮影画像より画素数が少ない第１画素数の前記記録画像を生成する。
【００３０】
これによれば、異常状態であると判断された場合に、撮影画像の一部の画像のみが記録される。これにより、画像を記録するためのデータ容量を削減できる。
【００３１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３２】
以下、実施の形態について、図面を参照しながら具体的に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３３】
（実施の形態１）
まず、本実施の形態に係る運転手モニタ装置の構成を説明する。図１は、本実施の形態に係る運転手モニタ装置１００の構成を示す図である。図１に示すように、運転手モニタ装置１００は、例えば、車両１２０に搭載されるドライブレコーダであり、前方カメラ１０１と、運転手モニタカメラ１０２と、センサ１０３と、ＧＰＳ１０４と、信号処理部１０５と、記録部１０６と、判断部１０７とを備える。
【００３４】
前方カメラ１０１は、車両１２０の周囲を撮影することで画像（画像信号）を生成する撮像装置である。
【００３５】
運転手モニタカメラ１０２は、車両の内部の運転手を撮影することで撮影画像１１１を生成する。例えば、運転手モニタカメラ１０２は、予め定められた固定倍率で（ズーム倍率を変更せずに）運転手を撮影することで撮影画像１１１を生成する。
【００３６】
センサ１０３は、加速度センサ及びジャイロセンサ等の力学量センサである。ＧＰＳ１０４は、ＧＰＳ（Ｇｌｏｂａｌ  Ｐｏｓｉｔｉｏｎｉｎｇ  Ｓｙｓｔｅｍ）を利用して、車両１２０の現在位置を取得する。
【００３７】
信号処理部１０５は、前方カメラ１０１で撮影された画像、センサ１０３で得られた検知結果、及びＧＰＳ１０４で得られた位置情報を記録部１０６に記録する。なお、信号処理部１０５は、これらの情報の一部のみを記録してもよいし、これらの情報に所定の処理を施したうえで記録部１０６に記録してもよい。
【００３８】
また、信号処理部１０５は、運転手モニタカメラ１０２で得られた撮影画像１１１から記録画像１１２を生成する。記録部１０６は、記録画像１１２を記録（蓄積）する。
【００３９】
判断部１０７は、運転手モニタカメラ１０２で得られた撮影画像１１１を用いて運転手の異常状態を判断する。
【００４０】
なお、ここでは、運転手モニタ装置１００がドライブレコーダである場合を例に説明を行うが、運転手モニタ装置１００は、運転手を撮影し、得られた画像を記録する機能を有すればよい。つまり、運転手モニタ装置１００は、前方カメラ１０１、センサ１０３及びＧＰＳ１０４等を備えなくてもよい。
【００４１】
次に、本実施の形態に係る運転手モニタ装置１００の動作を説明する。図２は、運転手モニタ装置１００による画像記録処理のフローチャートである。なお、図２に示す処理は、例えば、１フレーム又は複数フレームごとに行われる。
【００４２】
図２に示すように、信号処理部１０５は、運転手モニタカメラ１０２から撮影画像１１１を取得する（ステップ番号Ｓ１０１）。次に、判断部１０７は、撮影画像１１１を分析することにより運転手の異常状態を検知する（Ｓ１０２）。図３は、異常状態と、後述する切り出し領域との関係を示す図である。図３に示すように、異常状態とは、例えば、わき見（顔の向き）、わき見（視線）、居眠り（頭部揺れ）、居眠り（閉眼）、及び瞬き等である。具体的には、判断部１０７は、判断基準に基づき、１フレーム又は連続する複数フレームの撮影画像１１１を解析することで、これらの異常状態を検知する。なお、瞬きについては、瞬きが増えるほど眠気が増す傾向があるため、瞬きによっても異常状態を検知することができる。
【００４３】
次に、信号処理部１０５は、判断部１０７による判定結果に応じて、撮影画像１１１を圧縮することで記録画像１１２を生成する。図４は、わき見（顔の向き）、わき見（視線）、及び正常（異常なし）の場合の信号処理部１０５による処理例を示す図である。
【００４４】
具体的には、図２に示すように、わき見（顔の向き）、又は居眠り（頭部揺れ）が検知された場合（Ｓ１０３でＹｅｓ）、図４のわき見（顔の向き）に示すように、信号処理部１０５は、ＦＨＤ（１９２０×１０８０画素）の撮影画像１１１から顔部分のＸＧＡ（１０２４×７６８画素）の領域を切り出すことで、切り出し画像を生成する。さらに、信号処理部１０５は、ＸＧＡ（１０２４×７６８画素）の切り出し画像を圧縮することでＶＧＡ（６４０×４８０画素）の記録画像１１２を生成し、生成した記録画像１１２を記録部１０６に保存する（Ｓ１０４）。
【００４５】
また、わき見（視線）、居眠り（閉眼）、又は瞬きが検知された場合（Ｓ１０５でＹｅｓ）、図４のわき見（視線）に示すように、信号処理部１０５は、ＦＨＤ（１９２０×１０８０画素）の撮影画像１１１から眼部分のＶＧＡ（６４０×４８０画素）の領域を切り出すことでＶＧＡ（６４０×４８０画素）の記録画像１１２を生成し、生成した記録画像１１２を記録部１０６に保存する（Ｓ１０６）。
【００４６】
また、異常状態が検知されなかった場合（Ｓ１０３のＮｏかつＳ１０５でＮｏ）、図４の正常に示すように、信号処理部１０５は、ＦＨＤ（１９２０×１０８０画素）の撮影画像１１１の全体を圧縮することでＶＧＡ（６４０×４８０画素）の記録画像１１２を生成し、生成した記録画像１１２を記録部１０６に保存する（Ｓ１０７）。
【００４７】
また、異常状態が検知された際には、検知された異常状態を示す情報が、その判断に用いられた撮影画像１１１から生成された記録画像１１２に対応付けられて記録部１０６に格納される。なお、運転手モニタ装置１００は、異常状態が検出された場合に、異常状態が検出された旨、又は警告等を運転手に通知してもよい。
【００４８】
なお、ここで示したＦＨＤ（Ｆｕｌｌ  Ｈｉｇｈ  Ｄｅｆｉｎｉｔｉｏｎ）、ＸＧＡ（ｅＸｔｅｎｄｅｄ  Ｇｒａｐｈｉｃｓ  Ａｒｒａｙ）及びＶＧＡ（Ｖｉｄｅｏ  Ｇｒａｐｈｉｃｓ  Ａｒｒａｙ）等の解像度（画素数）は一例であり、上記に限定されるものではない。
【００４９】
このように、信号処理部１０５は、判断部１０７により、異常状態であると判断された場合、撮影画像１１１の一部画像を切り出すことで、撮影画像１１１より画素数が少ない第１画素数（例えば、ＶＧＡ）の記録画像１１２を生成する。ここで、切り出される領域は、撮影画像１１１内の異常状態に関連する部分であり、例えば、異常状態の判断に用いられる部分である。具体的には、上述したように、顔の向き等により判断される異常状態（わき見（顔の向き）及び居眠り（頭部揺れ））の場合には、顔部分が切り出される。また、眼の開閉又は視線等により判断される異常状態（わき見（視線）、居眠り（閉眼）、及び瞬き）の場合には、眼付近の部分が切り出される。
【００５０】
このように、異常状態であると判断された場合に、撮影画像１１１の一部の画像のみが記録されることで、画像を記録するためのデータ容量を削減できる。さらに、画像全体を圧縮する場合に比べ、異常状態に関連する部分に関しては画質の低下を抑制できるので、必要な部分の画質の低下を抑制しつつ、データ容量を削減できる。
【００５１】
また、信号処理部１０５は、判断部１０７により、異常状態でないと判断された場合、撮影画像１１１の全体を圧縮することで第１画素数（例えば、ＶＧＡ）の記録画像１１２を生成する。また、異常状態は、第１異常状態（例えば、わき見（視線）、居眠り（閉眼）、又は瞬き）と第２異常状態（例えば、わき見（顔の向き）又は居眠り（頭部揺れ））とを含む。信号処理部１０５は、判断部１０７により、運転手が第１異常状態であると判断された場合、撮影画像１１１から第１画素数（例えば、ＶＧＡ）の領域を切り出すことで第１画素数（例えば、ＶＧＡ）の記録画像１１２を生成する。また、信号処理部１０５は、判断部１０７により、運転手が第２異常状態であると判断された場合、撮影画像１１１から第１画素数（例えば、ＶＧＡ）より多い第２画素数（例えば、ＸＧＡ）の領域を切り出し、切り出した領域を圧縮することで第１画素数（例えば、ＶＧＡ）の記録画像１１２を生成する。
【００５２】
これにより、記録画像１１２の全体のデータ容量を削減できる。さらに、正常時及び異常状態時の両方において記録される画像のサイズを統一できる。また、異常状態の種別に応じて切り出す領域のサイズが異なる場合においても、記録される画像のサイズを統一できる。よって、記録画像１１２の管理等を容易に行うことができる。
【００５３】
なお、ここでは、異常状態でないと判断された場合に記録画像１１２を生成するが、これは、常に生成する動作に限定されるものではなく、記録画像１１２を間引いて生成してもよいし、異常状態でない記録画像１１２を上書きして保存するようにしてもよい。
【００５４】
また、ここでは、異常状態の種別、及び、異常の有無によらず、記録画像１１２のサイズが同一になる例を示したが、同一でなくてもよい。また、わき見（顔の向き）等において、切り出し画像が圧縮されているが、圧縮されなくてもよい。同様に、正常時に圧縮が行われなくてもよい。また、わき見（視線）等において、切り出された画像が、さらに圧縮されてもよい。
【００５５】
また、図３等に示す異常状態の種別は一例であり、これ以外の種別が異常状態に含まれてもよい。
【００５６】
次に、判断部１０７による学習処理について説明する。図５は、判断部１０７による学習処理のフローチャートである。
【００５７】
まず、判断部１０７は、記録部１０６に記録された記録画像１１２に基づいて、異常状態の判断基準を更新する（Ｓ１１１）。例えば、判断部１０７は、外部より入力された教師データに基づく機械学習（単に学習とも記す）により、撮影画像１１１を用いた異常状態の判断基準を更新する。なお、判断部１０７は、外部からの入力又はセンサ等の検知結果に基づく危険度合いに基づく機械学習により、異常状態の判断基準を更新してもよい。または、判断部１０７は、危険度合いが高い場合には、異常状態と判断されやすくなるように判断基準を更新し、判断部１０７は、危険度合いが低い場合には、より異常状態と判断されにくくなるように判断基準を更新してもよい。なお、機械学習の手法としては、ニューラルネットワーク等の任意の手法を用いることができる。
【００５８】
そして、判断部１０７は、以降の判断処理において、更新された判断基準を用いて異常状態を判断するように設定する（Ｓ１１２）。
【００５９】
このように、記録画像１１２を用いて学習を行うことで、異常状態の判断の精度を向上できる。また、上述したように、本実施の形態では、記録画像１１２において異常状態の判断に用いられた領域の画質の低下が抑制されている。よって、学習処理の精度を向上できる。
【００６０】
（実施の形態２）
上記実施の形態１では、学習処理を車両１２０内で行う例を述べた。本実施の形態では、学習処理をサーバで行う例について説明する。
【００６１】
図６は、本実施の形態に係る運転手モニタ装置１００Ａ及びサーバ１３０の構成を示す図である。なお、以下では、実施の形態１との相違点を主に説明し、重複する説明は省略する。
【００６２】
図６に示す運転手モニタ装置１００Ａは、図１に示す運転手モニタ装置１００の構成に加え、サーバ１３０と無線通信を行う通信部１０８を備える。サーバ１３０は、例えば、建屋１２１内に設置されており、通信部１３１と、蓄積部１３２と、解析部１３３とを備える。
【００６３】
図７は、本実施の形態に係る運転手モニタ装置１００Ａにおける学習処理のフローチャートである。まず、通信部１０８は、記録部１０６に記録された記録画像１１２をサーバ１３０に送信する（Ｓ１２１）。
【００６４】
サーバ１３０の通信部１３１は、運転手モニタ装置１００Ａから送信された記録画像１１２を受信し、受信した記録画像１１２を蓄積部１３２に記録する。解析部１３３は、蓄積された記録画像１１２に基づいて異常状態の判断基準を決定（更新）する。なお、この更新方法は、例えば、上述した実施の形態１における判断部１０７による処理と同様である。次に、通信部１３１は、決定された判断基準１１３を運転手モニタ装置１００Ａに送信する。
【００６５】
運転手モニタ装置１００Ａの通信部１０８は、サーバ１３０から送信された判断基準１１３を受信する（Ｓ１２２）。判断部１０７は、受信した判断基準を新たな判断基準として更新する（Ｓ１２３）。また、判断部１０７は、以降の判断処理において、更新された判断基準を用いて異常状態を判断するように設定する（Ｓ１２４）。
【００６６】
このように、記録画像１１２を用いて学習を行うことで、異常状態の判断の精度を向上できる。また、運転手モニタ装置において学習処理を行う場合に比べ、運転手モニタ装置における処理量を低減できる。また、サーバ１３０において複数の運転手モニタ装置で得られた情報を用いて学習処理を行えるので学習の精度を向上できる。
【００６７】
また、本実施の形態では、記録画像１１２において異常状態の判断に用いられた領域の画質の低下が抑制されているので、サーバ１３０における学習の精度を向上できる。また、上述したように本実施の形態では、記録画像１１２のデータ量を削減できるので、運転手モニタ装置１００Ａとサーバ１３０との間の通信容量を削減できる。
【００６８】
以上、本発明の実施の形態に係る運転手モニタ装置について説明したが、本発明は、この実施の形態に限定されるものではない。
【００６９】
また、上記実施の形態に係る運転手モニタ装置に含まれる各処理部は典型的には集積回路であるＬＳＩとして実現される。これらは個別に１チップ化されてもよいし、一部又は全てを含むように１チップ化されてもよい。
【００７０】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００７１】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７２】
また、本発明は、運転手モニタ装置により実行される運転手モニタ方法として実現されてもよい。
【００７３】
また、上記で用いた数字は、全て本発明を具体的に説明するために例示するものであり、本発明は例示された数字に制限されない。
【００７４】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００７５】
また、フローチャートにおける各ステップが実行される順序は、本発明を具体的に説明するために例示するためのものであり、上記以外の順序であってもよい。また、上記ステップの一部が、他のステップと同時（並列）に実行されてもよい。
【００７６】
以上、一つまたは複数の態様に係る運転手モニタ装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【００７７】
本発明は、運転手モニタ装置に適用でき、例えば、ドライブレコーダ等に適用できる。
【符号の説明】
【００７８】
１００、１００Ａ  運転手モニタ装置
１０１  前方カメラ
１０２  運転手モニタカメラ
１０３  センサ
１０４  ＧＰＳ
１０５  信号処理部
１０６  記録部
１０７  判断部
１０８  通信部
１１１  撮影画像
１１２  記録画像
１１３  判断基準
１２０  車両
１２１  建屋
１３０  サーバ
１３１  通信部
１３２  蓄積部
１３３  解析部
【図１】
2018073253.tif 000003
【図２】
2018073253.tif 000004
【図３】
2018073253.tif 000005
【図４】
2018073253.tif 000006
【図５】
2018073253.tif 000007
【図６】
2018073253.tif 000008
【図７】
2018073253.tif 000009